(57)【要約】【課題】盛土体カバーの内面に土を付着しにくくし、土が付着した場合は容易に落とすことができる畦塗り機を提供する。【解決手段】畦塗り機１は、走行車であるトラクタの後部に着脱可能に装着されて畦塗り作業を行う農作業機であって、土を盛り上げる盛土体３と、この盛土体３にて盛り上げられた土を締固めて畦を形成する畦形成体４と、盛土体３の上方部に盛土カバー３１を備え、盛土カバー３１は、カバー本体３５の上部が開口されて開口部３９が形成されており、開口部３９には弾性部材で形成された上部カバー体３２が取付用穴部３８にカバー止め部材３４を嵌合することにより着脱自在に設けられている。 【選択図】図１
2015080427.tif 000002
【特許請求の範囲】
【請求項１】
土を盛り上げる盛土体と、この盛土体にて盛り上げられた土を締固めて畦を形成する畦形成体と、前記盛土体を覆う盛土カバーとを備え、前記盛土カバーは、上部が開口され、開口部に上部カバー体を着脱自在に設けたことを特徴とする畦塗り機。
【請求項２】
上部カバー体は弾性部材にて構成されていることを特徴とする請求項１に記載の農作業機。
【請求項３】
上部カバー体は取付用穴部を有し、盛土カバーに設けられたカバー止め部材が嵌合することによって着脱可能に構成されていることを特徴とする請求項１に記載の農作業機。
【発明の詳細な説明】
【技術分野】
【０００１】
本発明は、盛土カバーの内面に付着する土を付着しにくくし、付着した場合は土を容易に落とすことができる畦塗り機に関するものである。
【先行技術文献】
【特許文献】
【０００２】
【特許文献１】実開平５−２１６０４号公報  従来、例えば畦塗り機のカバー体の土を落とすために、散水するものが知られている（例えば特許文献1参照）。
【発明の概要】
【発明が解決しようとする課題】
【０００３】
しかしながら、上記従来の構成では、散水用のタンクやホースを設けなければならないため、構造が複雑となりコストアップしてしまうという問題があった。
【０００４】
また、散水用の水の重量が重いため、大型のトラクタにしか取付けできない問題や、頻繁にタンクに水を補給しなければならない問題があった。
【課題を解決するための手段】
【０００５】
請求項１記載の畦塗り機は、土を盛り上げる盛土体と、この盛土体にて盛り上げられた土を締固めて畦を形成する畦形成体と、前記盛土体を覆う盛土カバーとを備え、前記盛土カバーは、上部が開口され、開口部に上部カバー体を着脱自在に設けたことを特徴とするものである。
【０００６】
請求項２記載の畦塗り機は、上部カバー体は弾性部材にて構成されているものである。
【０００７】
請求項３記載の畦塗り機は、上部カバー体は取付用穴部を有し、盛土カバーに設けられたカバー止め部材が嵌合することによって着脱可能に構成されているものである。
【発明の効果】
【０００８】
請求項１に係る発明によれば、盛土体を覆う盛土カバーを備え、前記盛土カバーは、上部が開口され、上部カバー体を着脱自在に設ける構成であるので、上部カバー体を取り外すことにより、内面に付着した土を容易に落とすことができる。
【０００９】
請求項２に係る発明によれば、上部カバー体は弾性部材にて構成されているので、上部カバー体に土が付着するのを効果的に防止できる。
【００１０】
請求項３に係る発明によれば、上部カバー体は取付用穴部を有し、盛土カバーに設けられたカバー止め部材が嵌合することによって着脱可能に構成されているので、素早く着脱することができる。
【図面の簡単な説明】
【００１１】
【図１】本発明の実施の形態に係る畦塗り機の平面図である。
【図２】本発明の実施の形態に係る畦塗り機の側面図である。
【図３】本発明の上部カバー体の平面図である。
【図４】本発明の第１の実施形態の盛土カバーの部分断面図である。
【図５】本発明の第２の実施形態の盛土カバーの部分断面図である。
【図６】本発明の第３の実施形態の盛土カバーの部分断面図である。
【図７】本発明の第４の実施形態の盛土カバーの部分断面図である。
【図８】本発明の第５の実施形態の盛土カバーの部分断面図である。
【発明を実施するための形態】
【００１２】
本発明の農作業機の一実施の形態を図面を参照して説明する。
【００１３】
図１ないし図４において１は畦塗り機で、この畦塗り機１は、図示しないトラクタに着脱可能に装着され、トラクタの後部の３点リンクヒッチ部（作業機昇降支持装置）に連結されトラクタの走行により圃場の畦に沿って進行方向前方に移動しながら畦塗り作業を行うものである。
【００１４】
畦塗り機１は、トラクタの３点リンクヒッチ部に連結される機枠２と、機枠２に前端部が上下方向の軸部２１を中心として回動可能に取り付けられた互いに平行な２本の回動アーム２０と、回動アーム２０の後端部に上下方向の軸部２２を中心として回動可能に取り付けられた回動機枠６と、この回動機枠６と機枠２との間に接続され回動機枠６を機枠２に対して左右方向に平行移動させる駆動手段７と、回動機枠６と機枠２との間に接続された伸縮可能なロック装置８と、回動機枠６にて支持され進行方向前方に移動しながら畦塗り作業をする作業手段９とを備えた作業機本体１０を有している。
【００１５】
機枠２は、トラクタの３点リンクヒッチ部に連結される３点連結部１１を有している。３点連結部１１は、トラクタの３点リンクヒッチ部にクイックカプラ等を介して回転可能に連結されるトップマスト１２及び左右一対２本のロアアーム１３等にて構成されている。また、機枠２は軸支部１４を有し、この軸支部１４にて前後方向の入力軸５が回転可能に支持されている。入力軸５はトラクタのPTO軸に対して、ジョイント及び伝動シャフト等にて構成された動力伝達手段（図示せず）により接続されている。
【００１６】
駆動手段７は、例えば電動油圧シリンダ等で、筒状のシリンダ本体１７と、このシリンダ本体１７内に出入りするロット１８とを有し、このロット１８の
先端部は機枠２に上下方向の軸１９を中心として回動可能に連結されている。シリンダ本体１７の基端部は、回動機枠６に一方の軸部２２と同軸上の軸２０を中心として回動可能に連結されている。
【００１７】
ロック装置８は、基端部が他方の軸部２２に、先端部が軸支部１４に、それぞれ回動可能に連結されている。そして、このロック装置８は、図１に示す作業状態では収納されており、伸張された状態で固定されることにより非作業状態となる。
【００１８】
作業手段９は、所定方向に回転しながら田面および元畦の側面を切削して元畦上に土を盛り上げる盛土用ロータリ等の盛土体３と、盛土体３にて盛り上げられた土である盛土を所定方向に回転しながら締固めて新畦を形成するディスク等の畦形成部としての畦形成体４とを有している。盛土手段３は盛土カバー３１で覆われ、畦形成手段４の上方部はディスクカバー４３にて覆われている。
【００１９】
盛土体３は、入力軸５に接続した動力伝達手段側から動力を受けて回転する回転軸３７と、この回転軸３７の爪ホルダ部に着脱可能に取り付けられ回転軸３７とともに回転して元畦上に土を盛り上げる複数の切削爪３６とを有している。
【００２０】
畦形成体４は、入力軸５に接続した動力伝達手段側から動力を受けて回転する左右方向の回転軸４４と、この回転軸４４に取り付けられこの回転軸４４とともに回転して盛土を締固めて新畦の傾斜状の側面を形成する略円錐台状の側面形成体４２と、回転軸４４に取り付けられ回転軸４４とともに回転して盛土を締め固めて新畦の水平状の上面を形成する略円筒状の上面形成体４１とを有している。
【００２１】
盛土カバー３１は上方部に開口部３９を有しており、開口部３９の周りは角パイプ等で形成されたカバーフレーム３５にて構成され、開口部を塞ぐように弾性部材である上部カバー体３２が設けられている。
【００２２】
開口部３９の上端部付近には左右方向に伸びる棒状の下降規制部材３３が固着されており、上部カバー体３２が下方に下降する（撓む）ことを防止している。下降規制部材３３はたとえば５本設けられているが、上部カバー体３２が下降することを防止することが可能であれば、何本で構成されてもよい。
【００２３】
また、進行方向最前部と進行方向最後部に設けられた下降規制部材３３にはカバー止め部材３４が複数個固設されている。
【００２４】
上部カバー体３２の前後方向前側と後側にはそれぞれ取付用穴部３８が複数個設けられている。取付用穴部３８は前後方向に長手状の長穴にて形成され、カバー止め部材３４と同じ個数設けることにより、カバー止め部材３４に上部カバー体３２が取り付けられる。
【００２５】
次に、畦塗り機１の作用等を説明する。
【００２６】
畦塗り機１をトラクタの３点リンクヒッチ部に連結し、駆動手段７のロット１８をシリンダ本体１７に対して伸長させることにより、つまり、駆動手段７の伸長に基づく右方回動（一の動作）により回動機枠６を回動アーム２０、２０を介して機枠２に対して側方へと突出させるように回動させて作業機本体１０を作業状態とし、トラクタの走行により畦塗り機１を元畦に沿って移動させる。
【００２７】
畦塗り機１が元畦に沿って移動すると、盛土体３の切削爪３６によって田面および元畦の側面等が切削され、この切削土が盛土となって元畦上に盛り上げられ、その盛土が畦形成体４の側面形成体４２および上面形成体４１によって締固められ、新畦が形成される。
【００２８】
盛土体３を覆うように設けられた盛土カバー３１は上端部に開口部３９を有し、その開口部３９を覆うように弾性部材である上部カバー体３２が設けられている。
【００２９】
盛土カバー３１のカバーフレーム３５には上部に下降規制部材３３が固着され、上部カバー体３２が下方にたるんで切削爪３６に当たり破損するのを防止している。下降規制部材３３は上部カバー体３２が下方に撓むことを防止できればよいので、３本〜８本等任意である。
【００３０】
下降規制部材３３の進行方向最前部に位置する前側下降規制部材３３１と進行方向最後部に位置する後側下降規制部材３３２にはカバー止め部材３４がそれぞれ４個設けられている。カバー止め部材３４は上部カバー体３２に設けられた取付用穴部３８と同数であれば３個〜８個等任意であるが、数が多すぎると脱着に手間取るので３個から５個が適当である。
【００３１】
カバー止め部材３４は頭付ピンで、頭部３４１と胴部３４２にて構成されている。頭部３４１は上部カバー体３２の取付用穴部３８の直径よりも僅かに大きく、胴部３４２の直径は取付用穴部３８の直径よりも僅かに小さい。この様なカバー止め部材３４の形状にすることにより、上部カバー体３２を着脱可能にしている。換言すると、取付用穴部３８を左右に開くようにして頭部３４１を取付用穴部３８に挿通して胴部３４２の位置に取付用穴部３８が嵌合するように位置決めすることにより、取付用穴部３８の長穴方向に上部カバー体３２がスライド可能となるので、上部カバー体３２に土が付着した場合、上下に移動可能とすることにより上部カバー体３２の破損を防止できる。
【００３２】
上部カバー体３２は弾性部材にて構成されるため、土の付着を防止することが可能であるが、ゴム板にて形成することによってプラスチック等で形成する場合に比べより効果的に弾性変形し破損を防止することができる。
【００３３】
次に本発明の第２の実施の形態について図５を参照して説明する。
【００３４】
第２のカバー止め部材３４３はL字型に形成されており、上部が外側に向かって略９０度曲げられている。
【００３５】
この実施の形態によると、第１の実施の形態より頭部を設けていないため、より着脱がしやすくなる。
【００３６】
次に本発明の第３の実施の形態について図６を参照して説明する。
【００３７】
第３のカバー止め部材３４４はL字型に形成されており、上部が内側に向かって略９０度曲げられており、キャッチクリップ３４５にて上部カバー体３２を係止するように構成されている。
【００３８】
この実施の形態によると、第２の実施の形態と同様、頭部が取付用孔部３８よりも僅かに小さいので、脱着がしやすくなり、キャッチクリップにて係止しているので、上部カバー体３２が外れるのを確実に防止できる。
【００３９】
次に本発明の第４の実施の形態について図７を参照して説明する。
【００４０】
第４のカバー止め部材３４６の頭部は蝶ナットにて抜け止めされている。
【００４１】
この実施の形態においても、実施例２と同様に着脱がしやすい。
【００４２】
次に本発明の第５の実施の形態について図８を参照して説明する。
【００４３】
第５のカバー止め部材３４７の頭部は握り部を有したナットにて抜け止めされている。
【００４４】
この実施の形態においても、実施例４と同様に着脱がしやすい。
【００４５】
カバー止め部材３４は他にも六角ナット等で構成することも可能であるが、工具を使用しないで上部カバー体３２を着脱できるように構成することにより、作業性が向上する。
【００４６】
よって、カバー止め部材３４は上記構成に限定されず、簡単に上部カバー体３２の着脱が可能であればよい。
【００４７】
なお、畦塗り機１は作業位置と非作業位置に回動可能な構成に限らず、前進作業と後進作業を行うもの等、盛土体３の上方にカバーを有する畦塗り機すべてに適応可能である。
【００４８】
また、盛土体３の上方に有するカバーだけでなく、畦形成体４の上方に有するディスクカバー４３に弾性部材である上部カバー体３２を設けることも可能である。
【符号の説明】
【００４９】
１      畦塗り機
３      盛土体
４      畦形成体
３２    弾性部材である上部カバー体
３３    下降規制部材
３４    カバー止め部材
【図１】
2015080427.tif 000003
【図２】
2015080427.tif 000004
【図３】
2015080427.tif 000005
【図４】
2015080427.tif 000006
【図５】
2015080427.tif 000007
【図６】
2015080427.tif 000008
【図７】
2015080427.tif 000009
【図８】
2015080427.tif 000010